(57)【要約】【課題】外部装置に面した面とは反対側にある非接触ＩＣカードを読み取ってしまう読取りエラーを防止できる量産性の良い非接触ＩＣカード通信調整板を提供する。【解決手段】非接触ＩＣカード通信調整板１は、電磁波を利用して外部装置４０と非接触で通信できる非接触ＩＣカード３０の通信状態を調整するために、電磁波を遮断等するシールドシート１０の表面に電磁波が透過する並行した帯状の磁性シート２０を積層し、磁性シート２０は、シールドシート１０を非接触ＩＣカード３０に重ね合わせた使用状態において、非接触ＩＣカード３０の長端に沿う方向にシールドシート１０の一方の短辺部１１側から他方の短辺部１１側まで延設するとともに非接触ＩＣカード３０の両側長端に沿うシールドシート１０の長辺部１３の外縁や前記両短辺部１１の外縁まで達しないよう形成した。【選択図】図１
2009238018.tif 000002
【特許請求の範囲】
【請求項１】
外部装置が発信する電磁波を利用して前記外部装置と非接触で通信することができる非接触ＩＣカードに重ね合わせて使用する、前記外部装置と前記非接触ＩＣカードとの通信状態を調整するための非接触ＩＣカード通信調整板において、
前記外部装置と前記非接触ＩＣカードとの間の電磁波を遮断ないし減衰させる、シールドシートと、
前記シールドシートの片面に積層され、前記外部装置と前記非接触ＩＣカードとの間の電磁波を透過させる、少なくとも２つの並行する帯状の磁性シートと、を備え、
前記並行する帯状の磁性シートそれぞれは、前記シールドシートを前記非接触ＩＣカードに重ね合わせた使用状態において該非接触ＩＣカードの長端に沿う方向に前記シールドシートの一方の短辺部側から他方の短辺部側まで延設したものであり、前記使用状態において前記非接触ＩＣカードの両側長端に沿う前記シールドシートの長辺部の外縁、前記シールドシートの一方の短辺部の外縁、および他方の短辺部の外縁までは達していないことを特徴とする非接触ＩＣカード通信調整板。
【請求項２】
外部装置が発信する電磁波を利用して前記外部装置と非接触で通信することができる非接触ＩＣカードに重ね合わせて使用する、前記外部装置と前記非接触ＩＣカードとの通信状態を調整するための非接触ＩＣカード通信調整板において、
前記外部装置と前記非接触ＩＣカードとの間の電磁波を遮断ないし減衰させる、シールドシートと、
前記シールドシートの両面に積層され、前記外部装置と前記非接触ＩＣカードとの間の電磁波を透過させる、少なくとも２つの並行する帯状の磁性シートと、を備え、
前記並行する帯状の磁性シートそれぞれは、前記シールドシートを前記非接触ＩＣカードに重ね合わせた使用状態において該非接触ＩＣカードの長端に沿う方向に前記シールドシートの一方の短辺部側から他方の短辺部側まで延設したものであり、前記使用状態において前記非接触ＩＣカードの両側長端に沿う前記シールドシートの長辺部の外縁、前記シールドシートの一方の短辺部の外縁、および他方の短辺部の外縁までは達していないことを特徴とする非接触ＩＣカード通信調整板。
【請求項３】
前記非接触ＩＣカードがＩＣに接続されたアンテナコイルを内蔵し、
前記シールドシートは、前記磁性シートの占める領域および該磁性シートそれぞれによって挟まれる中間領域双方の占める大きさが少なくとも前記アンテナコイルの最外周縁が囲む領域よりも大きく、
前記使用状態において、前記中間領域は、前記アンテナコイル全体が収まらない幅に設定したことを特徴とする請求項１または２に記載の非接触ＩＣカード通信調整板。
【請求項４】
外部装置と非接触で通信することができる非接触ＩＣカードを収納したままで使用する非接触ＩＣカードケースにおいて、
前記非接触ＩＣカードを収納するＩＣカード収納部内に、前記外部装置と前記非接触ＩＣカードとの通信状態を調整するための請求項１から３の何れか一項に記載の非接触ＩＣカード通信調整板を備え、
前記非接触ＩＣカード通信調整板は、前記ＩＣカード収納部に収納した前記非接触ＩＣカードと重なり合うように取り付けたことを特徴とする非接触ＩＣカードケース。
【請求項５】
外部装置と非接触で通信することができる非接触ＩＣカードを収納可能な財布において、
前記非接触ＩＣカードを収納するＩＣカード収納部内に、前記外部装置と前記非接触ＩＣカードとの通信状態を調整するための請求項１から３の何れか一項に記載の非接触ＩＣカード通信調整板を備え、
前記非接触ＩＣカード通信調整板は、前記ＩＣカード収納部に収納した前記非接触ＩＣカードと重なり合うように取り付けたことを特徴とする財布。
【発明の詳細な説明】
【技術分野】
【０００１】
本発明は、外部装置が発信する電磁波を利用して外部装置と非接触で通信することができる非接触ＩＣカードに重ね合わせて使用する、外部装置と非接触ＩＣカードとの通信状態を調整するための非接触ＩＣカード通信調整板、非接触ＩＣカードを収納したままで使用する非接触ＩＣカードケース、および非接触ＩＣカードを収納可能な財布に関する。
【背景技術】
【０００２】
従来の非接触ＩＣカード通信調整板としては、例えば本願出願人が提案した特許文献１、および特許文献２に示すようなものがある。  
すなわち、特許文献１は、電磁シールド効果を有する略四辺形の電磁シール層の片面または両面に該電磁シールド層よりもやや狭い面積を有する高透磁層を積層したものである。そして、高透磁層は、電磁シールド層にほぼ相似の形状を有しており、その周縁外側は電磁シールド層に囲まれるように形成されている。
【０００３】
また、特許文献２も特許文献１と同様に、導電性シートに磁性シートを積層したものであり、磁性シートは、導電性シートの形状より小さい形状であり、導電性シートの外周縁部分には積層しないようにしたものである。
【０００４】
また、本願出願人は、非接触ＩＣカード通信調整板として、外部装置と非接触ＩＣカードとの間の通信に使用する電磁波を透過させる、並行する帯状の磁性シートをシールドシートの片面ないし両面に積層して設けたものを特許出願している。その非接触ＩＣカード通信調整板の磁性シートは、シールドシートを非接触ＩＣカードに重ね合わせた使用状態において、非接触ＩＣカードの両側長端に沿うようにシールドシートの一方の端縁から他方の端縁まで延設したものとなっている。
【０００５】
【特許文献１】特開２００６−３５０７４８号公報
【特許文献２】特許第３８７２４９６号公報
【発明の開示】
【発明が解決しようとする課題】
【０００６】
しかしながら、特許文献１に記載された技術では、電磁シールド層の外周縁部を残してその内側全体に高誘磁層が形成されているので、外部装置と非接触ＩＣカードとの通信は良好にすることができるが、高誘磁層の占める面積が大きいので高価になるという問題点があった。
【０００７】
また、特許文献２には、導電性シートの外周縁部を残してその近傍内側に磁性シートを積層するようにして形成したもので、磁性シートとして一枚の磁性シートの内側を広い面積に亘ってくり貫いた形状を有するものが開示されている。しかしながら、このような形状の磁性シートを製造するためには、例えば、磁性シートを四辺形に形成してから中央側をくり貫くなどしなければならず、磁性シートに無駄が生じ得るという問題があった。また、中央側をくり貫くことなく製造するには、そのための製造技術が必要になるという問題があった。さらに、このような形状の磁性シートを導電性シートに貼着するには、そのための生産技術が必要であった。
【０００８】
また、本出願人が提案した前記の非接触ＩＣカード通信調整板には、帯状に延びる磁性シートの両端側において、外部装置に面した面とは反対側にある非接触ＩＣカードを読み取ってしまう読取りエラーの防止を向上させる余地があった。
【０００９】
本発明は、このような従来の技術が有する問題点に着目してなされたもので、磁性シートの生産に際して無駄が生じることなく、安価で容易に製造でき、かつ、外部装置に面した面とは反対側にある非接触ＩＣカードを読み取ってしまう読取りエラーの防止を向上することができるようにした非接触ＩＣカード通信調整板を提供することを目的としている。
【課題を解決するための手段】
【００１０】
かかる目的を達成するための本発明の要旨とするところは、次の各項の発明に存する。
［１］  外部装置（４０）が発信する電磁波を利用して前記外部装置（４０）と非接触で通信することができる非接触ＩＣカード（３０）に重ね合わせて使用する、前記外部装置（４０）と前記非接触ＩＣカード（３０）との通信状態を調整するための非接触ＩＣカード通信調整板において、
前記外部装置（４０）と前記非接触ＩＣカード（３０）との間の電磁波を遮断ないし減衰させる、シールドシート（１０）と、
前記シールドシート（１０）の片面に積層され、前記外部装置（４０）と前記非接触ＩＣカード（３０）との間の電磁波を透過させる、少なくとも２つの並行する帯状の磁性シート（２０）と、を備え、
前記並行する帯状の磁性シート（２０）それぞれは、前記シールドシート（１０）を前記非接触ＩＣカード（３０）に重ね合わせた使用状態において該非接触ＩＣカード（３０）の長端に沿う方向に前記シールドシート（１０）の一方の短辺部（１１）側から他方の短辺部（１１）側まで延設したものであり、前記使用状態において前記非接触ＩＣカード（３０）の両側長端に沿う前記シールドシート（１０）の長辺部（１３）の外縁、前記シールドシート（１０）の一方の短辺部（１１）の外縁、および他方の短辺部（１１）の外縁までは達していないことを特徴とする非接触ＩＣカード通信調整板。
【００１１】
［２］  外部装置（４０）が発信する電磁波を利用して前記外部装置（４０）と非接触で通信することができる非接触ＩＣカード（３０）に重ね合わせて使用する、前記外部装置（４０）と前記非接触ＩＣカード（３０）との通信状態を調整するための非接触ＩＣカード通信調整板（１）において、
前記外部装置（４０）と前記非接触ＩＣカード（３０）との間の電磁波を遮断ないし減衰させる、シールドシート（１０）と、
前記シールドシート（１０）の両面に積層され、前記外部装置（４０）と前記非接触ＩＣカード（３０）との間の電磁波を透過させる、少なくとも２つの並行する帯状の磁性シート（２０）と、を備え、
前記並行する帯状の磁性シート（２０）それぞれは、前記シールドシート（１０）を前記非接触ＩＣカード（３０）に重ね合わせた使用状態において該非接触ＩＣカード（３０）の長端に沿う方向に前記シールドシート（１０）の一方の短辺部側から他方の短辺部側まで延設したものであり、前記使用状態において前記非接触ＩＣカード（３０）の両側長端に沿う前記シールドシート（１０）の長辺部（１３）の外縁、前記シールドシート（１０）の一方の短辺部（１１）の外縁、および他方の短辺部（１１）の外縁までは達していないことを特徴とする非接触ＩＣカード通信調整板（１）。
【００１２】
［３］  前記非接触ＩＣカード（３０）がＩＣに接続されたアンテナコイル（３３）を内蔵し、
前記シールドシート（１０）は、前記磁性シート（２０）の占める領域および該磁性シート（２０）それぞれによって挟まれる中間領域（１２）双方の占める大きさが少なくとも前記アンテナコイル（３３）の最外周縁が囲む領域よりも大きく、
前記使用状態において、前記中間領域（１２）は、前記アンテナコイル（３３）全体が収まらない幅に設定したことを特徴とする項［１］または［２］に記載の非接触ＩＣカード通信調整板（１）。
【００１３】
［４］  外部装置（４０）と非接触で通信することができる非接触ＩＣカード（３０）を収納したままで使用する非接触ＩＣカードケース（５０）において、
前記非接触ＩＣカード（３０）を収納するＩＣカード収納部（５１）内に、前記外部装置（４０）と前記非接触ＩＣカード（３０）との通信状態を調整するための項［１］から［３］の何れか一項に記載の非接触ＩＣカード通信調整板（１）を備え、
前記非接触ＩＣカード通信調整板（１）は、前記ＩＣカード収納部（５１）に収納した前記非接触ＩＣカード（３０）と重なり合うように取り付けたことを特徴とする非接触ＩＣカードケース（５０）。
【００１４】
［５］  外部装置（４０）と非接触で通信することができる非接触ＩＣカード（３０）を収納可能な財布（６０）において、
前記非接触ＩＣカード（３０）を収納するＩＣカード収納部（６１）内に、前記外部装置（４０）と前記非接触ＩＣカード（３０）との通信状態を調整するための項［１］から［３］の何れか一項に記載の非接触ＩＣカード通信調整板（１）を備え、
前記非接触ＩＣカード通信調整板（１）は、前記ＩＣカード収納部（６１）に収納した前記非接触ＩＣカード（３０）と重なり合うように取り付けたことを特徴とする財布（６０）。
【００１５】
前記本発明は次のように作用する。  
非接触ＩＣカード通信調整板（１）は、シールドシート（１０）の片面に少なくとも２つの磁性シート（２０）を備えており、この磁性シート（２０）は、非接触ＩＣカード通信調整板（１）を非接触ＩＣカード（３０）に重ね合わせたときに非接触ＩＣカード（３０）の長端に沿う方向にシールドシート（１０）の一方の短辺部（１１）から他方の短辺部（１１）まで帯状に並行に延設されている。したがって、並行する磁性シート（２０）同士の間は、シールドシート（１０）が露出している領域となっている。これにより、その分の磁性材が少なく済んでいる。
【００１６】
磁性シート（２０）は、シールドシート（１０）に対してシールドシート（１０）を非接触ＩＣカード（３０）に重ね合わせた使用状態において非接触ＩＣカード（３０）の長端に沿う方向にシールドシート（１０）の一方の短辺部（１１）側から他方の短辺部（１１）側まで延設すればよく、その際、使用状態において非接触ＩＣカード（３０）の両側長端に沿うシールドシート（１０）の長辺部（１３）の外縁、シールドシート（１０）の一方の短辺部（１１）の外縁、および他方の短辺部（１１）の外縁までは達しないようにすればよい。
【００１７】
このようにして製造された非接触ＩＣカード通信調整板（１）のシールドシート（１０）は、透過しようとする電磁波を遮蔽することができるものである。また、磁性シート（２０）は、電磁波を空気層よりも高密度に透過させることができるものである。
【００１８】
したがって、非接触ＩＣカード（３０）の表裏両面のうち外部装置（４０）に面する側に非接触ＩＣカード通信調整板（１）が重ね合わされているような状態にあるときは、非接触ＩＣカード通信調整板（１）側の面が磁性シート（２０）を備える面であるか否かにかかわらず、シールドシート（１０）が外部装置（４０）からの電磁波を遮断して、非接触ＩＣカード（３０）と外部装置（４０）との通信を防止することができる。
【００１９】
逆に、非接触ＩＣカード通信調整板（１）が外部装置（４０）とは反対側で非接触ＩＣカード（３０）に重ね合わさった状態にあり、すなわち、非接触ＩＣカード（３０）が外部装置（４０）に面するような状態にあり、かつ、その重ね合わさった非接触ＩＣカード通信調整板（１）側の面が磁性シート（２０）を備えない面であるときは、外部装置（４０）からの電磁波は、非接触ＩＣカード（３０）を透過した後、シールドシート（１０）によって減衰させられるので、この場合にも外部装置（４０）との通信を防止することができる。
【００２０】
これに対して、非接触ＩＣカード通信調整板（１）に重ね合わさった非接触ＩＣカード（３０）が外部装置（４０）に面するような状態にあり、かつ、その重ね合わさった非接触ＩＣカード通信調整板（１）側の面が磁性シート（２０）を備える面であるときは、外部装置（４０）からの電磁波は、非接触ＩＣカード通信調整板（１）に遮られずに直接に非接触ＩＣカード（３０）に至る。そして、アンテナコイル（３３）が電磁波を受信すると、磁誘導により非接触ＩＣカード（３０）内に電流が供給され、これにより、非接触ＩＣカード（３０）が動作して電磁波を発信する。このようにして、非接触ＩＣカード通信調整板（１）は、非接触ＩＣカード（３０）と外部装置（４０）との通信を可能にしたり、防止したりすることができる。
【００２１】
そして、磁性シート（２０）は、少なくとも２つの単に並行する帯状に設けられており、磁性シート（２０）同士の間にシールドシート（１０）が露出している中間領域（１２）を設けてある。さらに磁性シート（２０）は、使用状態において非接触ＩＣカード（３０）の両側長端に沿うシールドシート（１０）の長辺部（１３）の外縁、シールドシート（１０）の一方の短辺部（１１）の外縁、および他方の短辺部（１１）の外縁までは達していない。これにより、非接触ＩＣカード（３０）のシールド面積が大きくなり、磁性シート（２０）の生産に際して無駄が生じることなく、安価で容易に製造でき、かつ、外部装置（４０）に面した面とは反対側にある非接触ＩＣカード（３０）を読み取ってしまう読取りエラーの防止機能が向上する。
【００２２】
さらにまた、シールドシート（１０）のうち、磁性シート（２０，２０）が占める領域および中間領域（１２）が占める部分の大きさを少なくとも非接触ＩＣカード（３０）に内蔵されているアンテナコイル（３３）の最外周縁が囲む領域よりも大きくし、かつ、磁性シート（２０，２０）間の中間領域（１２）を使用状態においてアンテナコイル（３３）全体が収まらない幅にすることにより、外部装置（４０）と通信させようとする側の非接触ＩＣカード（３０）のアンテナコイル（３３）が確実に磁性シート（２０）と重なるので、外部装置（４０）との通信を確実に行わせることができる。
【００２３】
また、非接触ＩＣカード（３０）を収納するＩＣカード収納部（５１）を有し、該ＩＣカード収納部（５１）に収納した非接触ＩＣカード（３０）と重なり合うように非接触ＩＣカード通信調整板（１）を取り付けた非接触ＩＣカードケース（５０）によれば、非接触ＩＣカード通信調整板（１）の奏する効果を好適に発揮させることができる。
【００２４】
また、非接触ＩＣカード（３０）を収納するＩＣカード収納部（６１）を有し、該ＩＣカード収納部（６１）に収納した非接触ＩＣカード（３０）と重なり合うように非接触ＩＣカード通信調整板（１）を取り付けた財布（６０）によれば、非接触ＩＣカードケース（５０）と財布（６０）とを別個に所持する必要がなく、利便性にすぐれた財布（６０）となる。
【００２５】
なお、磁性シート（２０）は、非接触ＩＣカード通信調整板（１）の両面に配設するのはなく、片面だけに配設してもよい。
【発明の効果】
【００２６】
本発明にかかる非接触ＩＣカード通信調整板によれば、帯状の磁性シートの間にシールドシートが露出した中間領域を有するとともに磁性シートを使用状態において非接触ＩＣカードの両側長端に沿うシールドシートの長辺部の外縁、シールドシートの一方の短辺部の外縁および他方の短辺部の外縁までは達しないように形成したので、逆側の非接触ＩＣカードの情報を読み取ってしまう読取りエラーの防止機能を一層に向上することができる。
【００２７】
また、シールドシートのうち、磁性シートが積層されている領域と中間領域双方との占める部分の大きさを少なくとも非接触ＩＣカードに内蔵されているアンテナコイルの最外周縁が囲む領域よりも大きくし、中間領域をアンテナコイル全体が収まらない幅にしたので、外部装置と通信させようとする側の非接触ＩＣカードのアンテナコイルが確実に磁性シートと重なり、もって非接触ＩＣカードと外部装置との通信を確実に行わせることができる。
【００２８】
本発明にかかる非接触ＩＣカードケースによれば、非接触ＩＣカード通信調整板の奏する効果を好適に発揮させることができる。
【００２９】
本発明にかかる財布によれば、ＩＣカード収納部に取り付けた非接触ＩＣカード通信調整板がＩＣカード収納部に収納した非接触ＩＣカードと重なり合い、非接触ＩＣカード通信調整板の奏する効果を好適に発揮させることができるので、非接触ＩＣカードケースと財布とを別個に所持する必要がなくなる。
【発明を実施するための最良の形態】
【００３０】
以下、図面に基づき本発明の好適な各種の実施の形態を説明する。  
図１から図４までは、本発明の第１の実施の形態を示している。  
図１は、本発明の第１の実施の形態に係る非接触ＩＣカード通信調整板を示す平面図であり、図２は、図１の非接触ＩＣカード通信調整板の長辺側から見た側面図であり、図３は、図１における１−１断面図である。図４は、本発明の第１の実施の形態に係る非接触ＩＣカード通信調整板の作用を説明する図である。また、図７は、非接触ＩＣカードを示す斜視図であり、図８は、非接触ＩＣカードの使用状態を示す概略図である。
【００３１】
図７に示すように、非接触ＩＣカード通信調整板１を使用する非接触ＩＣカード３０は、カード型の本体３１にＩＣチップ３２と該ＩＣチップ３２に接続されたアンテナコイル３３とが埋設されたものであり、電磁波を利用して無線で非接触に外部装置４０との間でデータやプログラムの読み書きを行うものである。外部装置４０はカードリーダ・ライタ等である。
【００３２】
図８に示すように、外部装置４０側から非接触ＩＣカード３０に誘導電磁波を照射すると、非接触ＩＣカード３０側ではアンテナコイル３３が誘導電磁波を受信して、アンテナコイル３３に誘導起電力が生じる。この誘導起電力が非接触ＩＣカード３０の駆動電力となるとともに誘導電磁波に重畳された電磁波によりＩＣチップ３２に記憶されたデータが読み取られる。
【００３３】
このような非接触ＩＣカード３０に重ね合わせて使用する非接触ＩＣカード通信調整板１は、外部装置４０と通信する非接触ＩＣカード３０が外部装置４０と通信するのを防止するために、非接触ＩＣカード３０と外部装置４０との間の電磁波を遮断ないし減衰させる作用を発揮することができるものである。
【００３４】
図１から図４に示すように、非接触ＩＣカード通信調整板１は、電磁波を遮断ないし減衰させるためのシールドシート１０に電磁波が透過する磁性シート２０を配設したものである。この非接触ＩＣカード通信調整板１は、図８に示すように外部装置４０と非接触ＩＣカード３０との間で行われる非接触の通信状態を調整するために使用するものである。
【００３５】
シールドシート１０は、略四辺形の平面形状に形成されており、その大きさは、非接触ＩＣカード３０と重ね合わせたときに非接触ＩＣカード３０に内蔵されるアンテナコイル３３より大きいものであることが好ましい。これにより、非接触ＩＣカード通信調整板１を非接触ＩＣカード３０に重ね合わせたときに、非接触ＩＣカード通信調整板１の周縁からの電磁波の回り込みを減少させて、外部装置４０と非接触ＩＣカード３０との間の電磁波を確実に遮断ないし減衰させるようにすることができる。
【００３６】
非接触ＩＣカード３０のアンテナコイル３３は、送信と受信を兼用するものであるが、これには限定されず、送信用、受信用に別個のアンテナを備えていてもよい。送信用と受信用に別個のアンテナを備えている場合には、いずれか一方のアンテナをシールドシート１０により遮蔽することができれば、非接触ＩＣカード３０と外部機器４０との通信を防止することができる。
【００３７】
このシールドシート１０は、導電性を備えることにより電磁シールド効果が得られる物質を用いて形成されている。金属であれば、例えば、金、銀、白金、銅、アルミニウム、鉄、ニッケル等である。また、金属以外の物質としては、例えば導電性セラミックなどを用いることができる。これら金属等は、メッシュ状、ラティス状、箔状、あるいは板状等に形成したものが使用される。
【００３８】
シールドシート１０は、所定の媒体から成る基体（Ｂａｓｅ）に前記のように形成した金属等を貼付等して設けたものであってもよい。基体の素材としては、例えば、シート状のプラスチック、布、紙等を使用することができる。
【００３９】
また、シールドシート１０は、平板状に形成した基体に粉状の金属等を塗布したものであってもよい。また、粉状のプラスチックに金属粉を含有させ、これを層状に成形したものであってもよい。さらに、層状の基体に金属等を貼付したり、縫い込んだりしてシールドシート１０を構成するようにしてもよい。
【００４０】
基体に使用するプラスチックは、例えば、ポリエチレン（ＰＥ）、ポリプロピレン（ＰＰ）、ポリエチレンテレフタレート（ＰＥＴ）等の任意の樹脂材料を用いることができる。これら樹脂材料を基体とする場合、シールドシート１０は、基体中に導電性パウダーが混入されたプラスチックフィルム状に形成されたもの、表面に金属薄膜が蒸着されたプラスチックフィルム状に形成されたもの、表面に金属箔が貼り付けられたプラスチックフィルム状に形成されたもの、表面に導電性樹脂が塗布されたプラスチックフィルム状に形成されたもの、内部に金属線又は金属製の網が埋め込まれたプラスチックフィルム状に形成されたもの等にすることができる。
【００４１】
以上のようにして形成したシールドシート１０は、透過しようとする電磁波を遮蔽することができる。
【００４２】
このシールドシート１０に積層する磁性シート２０は、非接触により外部装置４０と通信する非接触ＩＣカード３０が当該外部装置４０と通信するのを誘導する役割を果たすものであり、シールドシート１０との組み合わせにより、非接触ＩＣカード３０の通信状態を好適に調整するものである。
【００４３】
図１から図４までに示すように、本実施の形態の非接触ＩＣカード通信調整板１が備える磁性シート２０は、シールドシート１０の両面に積層されている。磁性シート２０は、シールドシート１０の両面それぞれに、並行する２本の帯状に形成されており、シールドシート１０の両側長辺部１３，１３それぞれに沿うように延設されている。この磁性シート２０それぞれは、シールドシート１０の長辺部１３の外縁までは達していない。また、磁性シート２０は、その延びる方向の両端がシールドシート１０の一方の短辺部１１の外縁まで、および他方の短辺部１１の外縁までは達していない。
【００４４】
また、非接触ＩＣカード通信調整板１を非接触ＩＣカード３０に重ね合わせた使用状態では、磁性シート２０それぞれは、非接触ＩＣカード３０の両側長端に沿うように位置する。
【００４５】
磁性シート２０それぞれ自身が占める領域および磁性シート２０それぞれによって挟まれる中間領域１２双方の占める大きさは、少なくともアンテナコイル３３の最外周縁が囲む領域よりも大きくなっている。なお、中間領域１２は、磁性シート２０の積層されていない領域であるので、シールドシート１０が露出している領域となっている。
【００４６】
また、磁性シート２０の幅は、非接触ＩＣカード通信調整板１を非接触ＩＣカード３０に重ね合わせた使用状態において、アンテナコイル３３のうち磁性シート２０の延びる方向と略同方向に延びる部分の幅よりも広くなっている。さらに、中間領域１２は、前記使用状態において、アンテナコイル３３全体が収まらない幅となるように形成されている。これにより、使用状態においてアンテナコイル３３が磁性シート２０とは重ならずに、アンテナコイル３３の全体が中間領域１２のみと重なってしまうようなことはない。したがって、使用状態においては、磁性シート２０とアンテナコイル３３とは、必ず重なる部分がある。
【００４７】
このように形成される磁性シート２０は、透磁率μに優れた材料が使用される。例えば、使用する電磁波の周波数において、比透磁率は１００以上のものが好ましく、より好ましくは１０００以上のものである。具体的には、パーマロイ、フェライト、センダスト、方向性ケイ素鋼等を使用することができる。これにより、磁性シート２０は、電磁波を空気層よりも高密度に透過させることができる。
【００４８】
磁性シート２０は、プラスチックフィルム等に前記の材料を蒸着等させることによって形成することができる。また、前記の材料を公知の方法によりシールドシート１０上に層状に形成してもよい。
【００４９】
なお、シールドシート１０と磁性シート２０とを積層する方法としては、特に制限はなく、公知の方法を使用することができ、例えば、それぞれ単独で形成されたシールドシート１０と磁性シート２０を接着剤や粘着剤を介して接着する等の手段により、両者を積層し、一体化させてもよい。
【００５０】
このようにして製造した非接触ＩＣカード通信調整板１は、非接触ＩＣカード３０と略同じ大きさであってもよいし、ある程度余裕のある大きさであっても良い。
【００５１】
次に作用を説明する。  
図４は、本実施の形態の非接触ＩＣカード通信調整板１の両面に非接触ＩＣカード３０ａ，３０ｂを重ね合わせた使用状態での非接触ＩＣカード通信調整板１の作用を説明する図である。図示したように、使用状態では、非接触ＩＣカード通信調整板１のシールドシート１０に磁性シート２０を積層した両面に非接触ＩＣカード３０ａ，３０ｂが重ね合わせられている。
【００５２】
図４において、矢印は、非接触ＩＣカード３０ａ，３０ｂの情報を読み取るための電磁波（信号）を示している。また、「○」印は、通信が正常に行われることを示し、「×」印は、通信が正常に行われないことを示す。
【００５３】
図４においてシールドシート１０の左側から非接触ＩＣカード３０ａに向かう電磁波は、非接触ＩＣカード３０ａの裏面に配置されている磁性シート２０によってシールドシート１０の影響が軽減される。これにより、非接触ＩＣカード３０ａは、外部からの電磁波を問題なく受信することができ、また、非接触ＩＣカード３０ａから電磁波を発信することができる。これは、高透磁率の磁性シート２０中は磁界が集中しやすいため、非接触ＩＣカード３０ａも磁界の中に置かれることになるからである。このため、非接触ＩＣカード３０ａは、外部からの電磁波を受信し、また、電磁波を発信することができる。したがって、シールドシート１０の左側から非接触ＩＣカード３０ａに向かう方向に外部装置４０が電磁波を発信したときには、非接触ＩＣカード３０ａと外部装置４０との間で通信をすることができる。
【００５４】
一方、同じシールドシート１０の左側から非接触ＩＣカード３０ａに向かう電磁波は、シールドシート１０の右側に重ね合わせられた非接触ＩＣカード３０ｂに対しては、非接触ＩＣカード通信調整板１のシールドシート１０によって遮蔽されるので、非接触ＩＣカード３０ｂに到達することはない。このため、非接触ＩＣカード３０ｂが非接触ＩＣカード通信調整板１を挟んで反対側から来る電磁波を受信してしまうことはなく、外部装置４０と非接触ＩＣカード３０ｂとの間の不所望の通信を防止することができる。
【００５５】
このような作用は、シールドシート１０の右側から非接触ＩＣカード３０ｂに向かう電磁波についても全く同様である。
【００５６】
一般に、導体（シールドシート１０）の内部には電磁波が存在せず、また、空気と導体との境界面でも境界条件より電磁波が充分に存在しない性質を有する。このため、例えば図４に示すように非接触ＩＣカード３０ｂを読み取るための電磁波が右側から発信されても、非接触ＩＣカード３０ｂの裏面に配置されるシールドシート１０のために電磁波が減衰してしまう。これにより、非接触ＩＣカード３０ｂは、非接触ＩＣカード３０ｂに対して電磁波を発信した外部装置４０と通信することができない。
【００５７】
また、非接触ＩＣカード３０ａに対してシールドシート１０の右側から進行して来る電磁波は、非接触ＩＣカード３０ｂに対してシールドシート１０の左側から進行して来る電磁波がシールドシート１０に遮断されてしまうのと同様にシールドシート１０によって遮断されるので、非接触ＩＣカード３０ａに到達することがない。このため、非接触ＩＣカード３０ａによる電磁波の受信は行われず、シールドシート１０の右側にある外部装置４０は、非接触ＩＣカード３０ａとの通信を妨げられる。
【００５８】
このように、本実施の形態に係る非接触ＩＣカード通信調整板１によれば、非接触ＩＣカード３０ａ，３０ｂと非接触ＩＣカード通信調整板１との重ね合わせ方および非接触ＩＣカード通信調整板１に重ね合わせた非接触ＩＣカード３０ａ，３０ｂを外部装置４０が発する電磁波が来る方向に対してどのように位置させるかによって、非接触ＩＣカード３０ａ，３０ｂと外部装置４０との通信を好適に調整することができる。
【００５９】
また、帯状の磁性シート２０，２０が並行して設けられており、それら磁性シート２０，２０の間の中間領域１２ではシールドシート１０が露出しているので、非接触ＩＣカード通信調整板１のシールド面積が大きくなり、逆側の非接触ＩＣカードの情報を読み取ってしまう読取りエラーの防止機能が向上する。
【００６０】
さらにまた、シールドシート１０を少なくとも非接触ＩＣカード３０に内蔵されているアンテナコイル３３の最外周縁が囲む領域よりも大きくし、中間領域１２を使用状態において、アンテナコイル３３全体が収まらない幅にすることにより、外部装置４０と通信させようとする側の非接触ＩＣカード３０のアンテナコイル３３が確実に磁性シート２０と重なるので、外部装置４０との通信を確実に行わせることができる。
【００６１】
また、磁性シート２０を使用状態において非接触ＩＣカード３０の両側長端に沿うシールドシート１０の長辺部１３の外縁までは達しないように形成するとともに磁性シート２０の延びる方向の両端がシールドシート１０の一方の短辺部１１の外縁まで、および他方の短辺部１１の外縁までは達しないように形成することにより、逆側のカードの情報を読み取ってしまう読取りエラーの防止機能を一層に向上することができる。
【００６２】
なお、磁性シート２０は、シールドシート１０の両面に積層するのではなく、片面だけに積層してもよい。この場合は、磁性シート２０を積層していない面に重ねた非接触ＩＣカード３０は、外部装置４０による読み取りはできない。
【００６３】
また、シールドシート１０の両面に配設された磁性シート２０は、シールドシート１０の面上で配設されている領域が同じになっている。ただし、磁性シート２０を配設する領域は、両面を同じにする必要はない。例えば、両面それぞれの磁性シート２０と磁性シート２０との間に形成されている中間領域１２の幅は、非接触ＩＣカード３０と非接触ＩＣカード通信調整板１とを重ね合わせた使用状態において、アンテナコイル３３全体が中間領域１２に収まらない程度に狭ければ、両面で異なっていてもよい。また、磁性シート２０の材質は両面ともに同一のものであってもよいし、異なるものであってもよい。
【００６４】
さらに、磁性シート２０は、並行する２本とすることに限られず、図５に示すように３本でもよいし、図６に示すように４本としてもよい。
【００６５】
次に、本発明の第２の実施の形態について説明する。  
図９は、本発明の第２の実施の形態に係る非接触ＩＣカードケース５０を示す斜視図である。  
非接触ＩＣカードケース５０は、非接触ＩＣカード３０を収納したままで非接触ＩＣカード３０と外部装置４０とを非接触で通信することができるようにしたものである。この非接触ＩＣカードケース５０は、断面が略矩形状のＩＣカード収納部５１が形成され、その内部には、該内部を２つに仕切るように前記した第１の実施の形態に係る非接触ＩＣカード通信調整板１が取り付けられている。この非接触ＩＣカード通信調整板１は、ＩＣカード収納部５１から脱落しないように、接着、溶着、縫付け等によって取り付けられている。
【００６６】
ＩＣカード収納部５１は、非接触ＩＣカード３０を収容したときに、非接触ＩＣカード通信調整板１と重ね合わさった非接触ＩＣカード３０のアンテナコイル３３の一部が必ず磁性シート２０と重なるような大きさおよび形状に形成されている。
【００６７】
非接触ＩＣカード３０は、非接触ＩＣカード通信調整板１によって２つの部分に仕切られたＩＣカード収納部５１の何れの部分にも収容することができる。ＩＣカード収納部５１内に取り付けられたものが磁性シート２０を片面だけに配設した非接触ＩＣカード通信調整板である場合には、２つに仕切られた部分の何れに非接触ＩＣカード３０を収納するかによって非接触ＩＣカード通信調整板の作用効果が異なるので、適宜に判断して非接触ＩＣカード３０を収納すればよい。なお、ＩＣカード収納部５１の内に取り付けられたものが磁性シートを片面だけに配設した非接触ＩＣカード通信調整板である場合には、ＩＣカード収納部５１の内部を２つに仕切るのではなく、非接触ＩＣカード通信調整板をＩＣカード収納部５１の内壁の一部に沿うように取り付けてもよい。
【００６８】
ＩＣカード収納部５１内に取り付けられたものが磁性シート２０を両面に配設した非接触ＩＣカード通信調整板１である場合には、２つに仕切られた部分の何れに非接触ＩＣカード３０を収納しても非接触ＩＣカード通信調整板１の作用効果は同じである。
【００６９】
以上のように構成された非接触ＩＣカードケース５０は、ＩＣカード収納部５１に非接触ＩＣカード３０を収納したままで非接触ＩＣカード３０と外部装置４０との通信を可能にしたり、防止したりの調整をすることができる。
【００７０】
なお、図示した非接触ＩＣカードケース５０は、断面が略矩形状のＩＣカード収納部５１を有するものであるが、カード状のベース部材に、空間的な遊びが殆どないポケットを備え、該ポケット内のベース部材側に非接触ＩＣカード通信調整板１を取り付けて、そのポケットに非接触ＩＣカード３０を差し込むようにしたものでもよい。
【００７１】
次に、本発明の第３の実施の形態について説明する。  
図１０は、本発明の第３の実施の形態に係る財布６０を示す斜視図であり、二つ折の財布６０を開いたときの見開き面側を示している。  
財布６０は、札入れタイプのものであり、非接触ＩＣカード３０を収納したままで非接触ＩＣカード３０と外部装置４０とを非接触で通信することができるようにしたものである。この財布６０は、各種カードを収納することができるカード収納部６１、紙幣を収納しておくための紙幣収納部６２、および非接触ＩＣカード３０を収納することができるＩＣカード収納部６３が設けられている。
【００７２】
ＩＣカード収納部６３の内部には、非接触ＩＣカード通信調整板１が縫い付けるなどして固定されている。ＩＣカード収納部６３は、その内部に非接触ＩＣカード３０を収容したときに、非接触ＩＣカード通信調整板１と重ね合わさった非接触ＩＣカード３０のアンテナコイル３３の一部が必ず磁性シート２０と重なるような大きさおよび形状に形成されている。
【００７３】
このように構成された財布６０は、矢印で示したように非接触ＩＣカード３０をＩＣカード収納部６３に収納したときに非接触ＩＣカード通信調整板１が前記の説明のように作用するので、非接触ＩＣカード３０を財布６０から取り出さず、財布６０に収納したままで非接触ＩＣカード３０と外部装置４０との通信を可能にしたり、防止したりの調整をすることができる。
【００７４】
また、非接触ＩＣカード３０を利用する場合、非接触ＩＣカード３０を収納しておく非接触ＩＣカードケース５０を別個に所持する必要がなく、利便性にすぐれた財布６０となる。
【図面の簡単な説明】
【００７５】
【図１】本発明の第１の実施の形態に係る非接触ＩＣカード通信調整板を示す平面図である。
【図２】図１の非接触ＩＣカード通信調整板の長辺側から見た側面図である。
【図３】図１における１−１断面図である
【図４】本発明の第１の実施の形態に係る非接触ＩＣカード通信調整板の作用を説明する図である。
【図５】本発明の第１の実施の形態の一つの変形例を示す平面図である。
【図６】図５とは異なる変形例を示す平面図である。
【図７】非接触ＩＣカードを示す斜視図である。
【図８】非接触ＩＣカードの使用状態を示す概略図である。
【図９】本発明の第２の実施の形態に係る非接触ＩＣカードケースを示す斜視図である。
【図１０】本発明の第３の実施の形態に係る財布を示す簡略図である。
【符号の説明】
【００７６】
１…非接触ＩＣカード通信調整板
１０…シールドシート
１１…短辺部
１２…中間領域
１３…長辺部
２０…磁性シート
３０…非接触ＩＣカード
３０ａ…非接触ＩＣカード
３０ｂ…非接触ＩＣカード
３１…本体
３２…ＩＣチップ
３３…アンテナコイル
４０…外部装置
５０…非接触ＩＣカードケース
５１…ＩＣカード収納部
６０…財布
６１…カード収納部
６２…紙幣収納部
６３…ＩＣカード収納部
【図１】
2009238018.tif 000003
【図２】
2009238018.tif 000004
【図３】
2009238018.tif 000005
【図４】
2009238018.tif 000006
【図５】
2009238018.tif 000007
【図６】
2009238018.tif 000008
【図７】
2009238018.tif 000009
【図８】
2009238018.tif 000010
【図９】
2009238018.tif 000011
【図１０】
2009238018.tif 000012